(57)【要約】  通信カプラと信号伝達装置との接続箇所から電磁漏洩が発生することを抑制して、通信と電力伝送を両立することができる漏洩電磁界抑制技術である。当該信号伝達装置は、下部電極を構成する第１シート導体部と、該第１シート導体部と狭間領域を介して積層されたメッシュ状の第２シート導体部とを有し、該第２シート導体部に、シートインピーダンスが連続的に変化するメッシュサイズ可変領域を有する。
2011027770.tif 000002
【特許請求の範囲】
【請求項１】
通信カプラを通じて伝達された信号を電磁界として伝搬させて通信を行う信号伝達装置であって、
下部電極を構成する第１シート導体部と、
該第１シート導体部と狭間領域を介して積層され、シートインピーダンスが連続的に変化するメッシュサイズ可変領域を有するメッシュ状の第２シート導体部とを具備する通信伝達装置。
【請求項２】
前記メッシュサイズ可変領域は、同一サイズのメッシュ穴を有するメッシュ列を複数具備し、
前記各メッシュ列のメッシュ穴のサイズが、隣接するメッシュ列に対して段階的に変更される請求項１に記載の通信伝達装置。
【請求項３】
前記メッシュサイズ可変領域のメッシュ穴間は同一線幅を有し、
前記メッシュ穴が小さくなる程、同一のメッシュ列内において該メッシュ穴が高密度に形成される請求項２に記載の通信伝達装置。
【請求項４】
前記メッシュサイズ可変領域は、メッシュ穴間隔又は格子間隔を不変とし、
前記メッシュ穴が小さくなる程、前記メッシュ列の線幅が相対的に太くなる請求項２に記載の通信伝達装置。
【請求項５】
前記第１シート導体部と第２シート導体部との端部を互いに電気的に接続するショート端導体を更に具備する請求項２に記載の通信伝達装置。
【請求項６】
信号伝達装置に対して信号を送受信するための通信カプラであって、
通信素子が収納されるカプラ筐体と、
該カプラ筐体に設けられ、前記信号伝達装置のメッシュ状導体部上に設置された際にシートインピーダンスを連続的に変化させるメッシュサイズ可変領域体と、を具備する通信カプラ。
【請求項７】
前記メッシュサイズ可変領域は、同一サイズのメッシュ穴を有するメッシュ列を複数具備し、
前記各メッシュ列のメッシュ穴のサイズが、隣接するメッシュ列に対して段階的に変更される請求項６に記載の通信カプラ。
【請求項８】
前記メッシュサイズ可変領域のメッシュ穴間は同一線幅を有し、
前記メッシュ穴が小さくなる程、同一のメッシュ列内において該メッシュ穴が高密度に形成される請求項７に記載の通信カプラ。
【請求項９】
前記メッシュサイズ可変領域は、メッシュ穴間隔又は格子間隔を不変とし、
前記メッシュ穴が小さくなる程、前記メッシュ列の線幅が相対的に太くなる請求項７に記載の通信カプラ。
【請求項１０】
下部電極を構成する第１シート導体部と、該第１シート導体部と狭間領域を介して積層されたメッシュ状の第２シート導体部とを有し、通信信号を電磁界として伝搬される信号伝達装置に取り付けられるインピーダンス調整シートであって、
前記第２シート導体部の端部上面にメッシュ穴を部分的に塞ぐように貼り付けられた場合、前記信号伝達装置のシートインピーダンスを連続的に変化させるメッシュサイズ可変領域を形成するインピーダンス調整シート。
【請求項１１】
前記メッシュサイズ可変領域には、狭間領域に位置するシート厚み部を介して、前記信号伝達装置の第１シート導体部の下面に貼り付けられる下面シート部が設けられる請求項１０に記載のインピーダンス調整シート。
【請求項１２】
前記メッシュサイズ可変領域は、同一サイズのメッシュ穴を有するメッシュ列を複数具備し、
前記各メッシュ列のメッシュ穴のサイズが、隣接するメッシュ列に対して段階的に変更される請求項１０に記載のインピーダンス調整シート。
【請求項１３】
前記メッシュサイズ可変領域のメッシュ穴間は同一線幅を有し、
前記メッシュ穴が小さくなる程、同一のメッシュ列内において該メッシュ穴が高密度に形成される請求項１２に記載のインピーダンス調整シート。
【請求項１４】
前記メッシュサイズ可変領域は、メッシュ穴間隔又は格子間隔を不変とし、
前記メッシュ穴が小さくなる程、前記メッシュ列の線幅が相対的に太くなる請求項１２に記載のインピーダンス調整シート。
【請求項１５】
前記メッシュサイズ可変領域は、三角形状に形成された複数の導体シートを具備し、
前記第２シート導体部のメッシュ穴を部分的に塞ぐように貼り付けられ、
前記複数の導体シートは、第２シート導体部に貼り付けた場合に、該第２シート導体部を構成する複数のメッシュ列の各列に配置されて、各列のメッシュ穴の大きさが漸次変化するように該メッシュ列を部分的に閉鎖する請求項１２に記載のインピーダンス調整シート。
【発明の詳細な説明】
【技術分野】
【０００１】
本発明は、シート状の信号伝達装置と、その上に設置して信号伝達装置に信号を伝達する通信カプラとからなる通信システムにおいて、特に通信時の電磁漏洩を抑制する漏洩電磁界抑制技術に関する。
本願は、２００９年９月１日に出願された特願２００９−２０２１１３号に対し優先権を主張し、その内容をここに援用する。
【背景技術】
【０００２】
近年、空間に電磁波を伝搬させて無線通信を行う従来の無線システムに代わるものとして、特許文献１及び２に示されるような、シート状の通信媒体に電磁界を伝搬させて通信を行う新たな通信システムが開発され実用化されるに至っている。
このような通信システムは、図１３に示すように通信媒体となるシート状の信号伝達装置１と、インターフェースとなる通信カプラ２とから構成される。
信号伝達装置１は、下部電極を構成する第１シート導体部３と、該第１シート導体部３と間隔をおいて配置されたメッシュ状の第２シート導体部４と、前記第２シート導体部４の上部に設けられた第１誘電体層５と、これら第１シート導体部３及び第２シート導体部４の挟間領域に設けられた第２誘電体層６と、を有するシート状構造とされている。【０００３】
また、通信カプラ２は、図１３に示すように、通信素子を形成する円盤状の内部導体１０と、該内部導体１０を覆うように形成されてカプラ筐体１１を構成する外部導体１２と、これら導体１０・１１に接続された同軸ケーブル１３と、を有するものであって、該同軸ケーブル１３は、通信機器１４に接続されている。そして、このような構成によって、通信機器１４から入出力される信号を含む電磁界が同軸ケーブル１３を伝わり、内部導体１０及び外部導体１２を伝搬して信号伝達装置１に注入された後、該信号伝達装置１内を伝搬して、別の通信カプラ（図示略）との間で通信を行う。【０００４】
また、通信カプラ２の他の形態として、図１４に示される構造のものもある。
この通信カプラ１５は、信号伝達装置１上に設置されて通信信号又は電力送受用の板状のアンテナ回路１６及び信号・電力送受用回路（図示略）と、該アンテナ回路１６を覆うように形成されたカップ形状のカプラ筐体１７と、を有するものである。そして、このような構成によって、カプラ筐体１７のアンテナ回路１６を介して通信信号が電磁界となって信号伝達装置１に注入された後、該信号伝達装置１内を伝搬して、別の通信カプラ（図示略）との間で通信を行う。【０００５】
また、特許文献３〜５に示される通信装置でも、上記特許文献１及び２と同様に、互いに対向する導電部となるシート状体に挟まれる領域に電磁場を存在させ、２つのシート状体の間の印加電圧を変化させることで、電磁場を進行させて通信を行う技術が示されている。
具体的には、特許文献３に示される通信装置は、第１信号伝達層（第２シート導体部４）と、電源層又は接地層である第２信号伝達層（第１シート導体部３）の少なくとも一層とを含んだ積層構造を有する信号伝達装置を具備するものであって、これら第１、第２信号伝達層の間には、互いをショートさせるためのスイッチが設けられている。
また、特許文献４に示される通信装置は、いずれもシート状（布状、紙状、箔状、板状、膜状、フィルム状、メッシュ状など、面としての広がりを持つ、第１導体部（第２シート導体部４）と第２導体部（第１シート導体部３）との積層構造を有する信号伝達装置を具備するものであって、該信号伝達装置に対して、通信を行うためにループアンテナもしくはダイポールアンテナを通信カプラとする構成が示されている。
また、特許文献５に示される通信装置は、シート状の第１導体層（第２シート導体部４）と第２導体部（第１シート導体部３）とが積層された信号伝達装置を具備するものであって、該第１、第２導体部からなる基板には、通信素子から発信される電磁波を減衰して反射および漏洩を防止するくさび形状の電波吸収体が形成されている。
【先行技術文献】
【特許文献】
【０００６】
【特許文献１】特開２００７−８２１７８号公報
【特許文献２】特開２００７−２８１６７８号公報
【特許文献３】特開２００５−９３６０３号公報
【特許文献４】特開２００７−１５０６５４号公報
【特許文献５】特開２００７−５３３３７号公報
【発明の概要】
【発明が解決しようとする課題】
【０００７】
上記特許文献１〜５に示される通信装置では、通信カプラ２を通じて、信号伝達装置１を構成しているシート状アンテナの中に注入された電力が、第２シート導体部４を形成しているシートのエッジで反射し、信号伝達装置１の内部には定在波が発生する。このような定在波においては、第１シート導体部３と、第２シート導体部４との間の電界の強い部分と弱い部分が交互に現れる。特に、第２シート導体部４を形成しているメッシュ状シートのエッジ部分に現れた電界は空間に放射され、この放射された電界が他の電子機器に悪影響を与える可能性があり、この様な問題のため、該エッジからの電磁波漏洩を抑制する手法が求められている。また、電力伝送と通信で別の周波数を用いる場合、通信が信号伝達装置１内部に定在波を起こさないようにしたい、更に、電力伝送時に信号伝達装置１内部に定在波を発生させたとしても、可能な限り通信する信号の損失を少なくしたい、という要望がある。
上記問題点を図１５及び図１６を参照して具体的に説明する。図１５は、先の図１３又は図１４の通信システムにおける信号伝達手段１の第２シート導電体４の部分を示す平面図であり、また、図１６は、図１３又は図１４の接続方式によるシートインピーダンスの変化を示す図である。
図１５に符号４Ａで示される箇所は、第２シート導体部４上にて通信カプラ２の外部導体１２が設置されるメッシュの穴が無い導体面であり、４Ａ以外の第２シート導体部４には、符号４Ｂで示すように同一形状のメッシュが形成されている。【０００８】
このような第２シート導体部４において、導体面４Ａとメッシュ４Ｂとの境ではシートインピーダンスが大きく変化する。このような場所では、電磁波の反射が発生する。通信面（４Ａ）では、面内を伝播する電磁波のシート上面方向へのエバネッセントな漏洩によって、通信カプラとの通信を実現している。このようなエバネセントな成分のみでは、遠方界への電磁波の放射は少ない。しかしながら、インピーダンスが急激に変化し、電磁波の一部がインピーダンスの不連続部分で反射すると、電磁波の進行方向が急激に変化し、エバネセントモードでない状態になる。このため、遠方界への電磁波の放射が発生し、これにより高品質の通信を行うことができないという不具合が生じる。【０００９】
この発明は、上述した事情に鑑みてなされたものであって、通信カプラと信号伝達装置との接続箇所から電磁漏洩が発生することを抑制して、通信と電力伝送を両立することができる漏洩電磁界抑制技術を提供するものである。
【課題を解決するための手段】
【００１０】
上記課題を解決するために、この発明は以下の手段を提案している。本発明は、通信カプラを通じて伝達された信号を電磁界として伝搬させて通信を行う信号伝達装置であって、下部電極を構成する第１シート導体部と、該第１シート導体部と狭間領域を介して積層されたメッシュ状の第２シート導体部とを有し、前記第２シート導体部には、シートインピーダンスが連続的に変化するメッシュサイズ可変領域が形成されている。【００１１】
また、本発明は、信号伝達装置に対して信号を送受信するための通信カプラであって、通信素子が収納されるカプラ筐体を有し、該カプラ筐体に、前記信号伝達装置のメッシュ状導体部上に設置された際にシートインピーダンスを連続的に変化させるメッシュサイズ可変領域体を形成した。【００１２】
また、本発明は、下部電極を構成する第１シート導体部と、該第１シート導体部と狭間領域を介して積層されたメッシュ状の第２シート導体部とを有し、通信信号を電磁界として伝搬される信号伝達装置に取り付けられるインピーダンス調整シートであって、前記第２シート導体部の端部上面にメッシュ穴を部分的に塞ぐように貼り付けられて、シートインピーダンスが連続的に変化させるメッシュサイズ可変領域を有する。
【発明の効果】
【００１３】
本発明によれば、シートインピーダンスが連続的に変化するメッシュサイズ可変領域が形成される。例えば、メッシュサイズ可変領域として、各列にて同一サイズのメッシュ穴を有してなるメッシュ列を多数列設けるとともに、各メッシュ列のメッシュ穴を、隣接するメッシュ列に対して段階的にサイズ変更する構成とした。このようなメッシュサイズ可変領域を、大電力を送電する場合の通信面端部、又は通信カプラを設置した際の通信カプラ周辺に設置することで、従来のようなインピーダンス不連続部からの放射を大幅に低減することができる。結果、これら箇所からの電磁波漏洩を抑制し、安全に信頼性の高い通信又は電力送電を行うことが可能となる。
【図面の簡単な説明】
【００１４】
【図１】本発明の実施例１を示す信号伝達手段を表す図であって、（Ａ）は正面図、（Ｂ）は平面図である。
【図２】図２の信号伝達手段において第２シート導電体の位置に応じたシートインピーダンスを示すグラフである。
【図３】実施例１の変形例１（１）を示す平面図である。
【図４】実施例１の変形例１（２）を示す平面図である。
【図５】実施例１の変形例２を示す平面図である。
【図６】実施例１の変形例３（１）を示す平面図である。
【図７】実施例１の変形例３（２）を示す平面図である。
【図８】本発明の実施例２を示す通信カプラであって、（Ａ）は正面図、（Ｂ）は平面図である。
【図９】図８の通信カプラを信号伝達手段の第２シート導電体上に設置した状態の平面図である。
【図１０】本発明の実施例３を示すインピーダンス調整シートを展開した状態を示す平面図である。
【図１１Ａ】図１０のインピーダンス調整シートを信号伝達手段に設置した実施例３の正面図である。
【図１１Ｂ】図１０のインピーダンス調整シートを信号伝達手段に設置した実施例３の平面図である。
【図１２】図１１Ａ及びＢの変形例を示す正面図である。
【図１３】従来の通信システムを示す正断面図である。
【図１４】図１３とは異なる構造の通信システムを示す正断面図である。
【図１５】図１３又は図１４の通信システムにおける信号伝達手段の第２シート導電体部分を示す平面図である。
【図１６】図１５の信号伝達手段において第２シート導電体の位置に応じたシートインピーダンスを示すグラフである。
【図１７】実施例１における表裏のシート導体部をショートさせた例の断面図である。
【図１８】本発明を適用した実施例における放射電界強度の周波数特定を比較例とともに示す特性図である。
【発明を実施するための形態】
【００１５】
［実施例１］
本発明の実施例１を図１〜図７を参照して説明する。
図１（Ａ）及び（Ｂ）は、通信カプラ（図示略）から伝達された信号を電磁界として伝搬させて通信を行う通信媒体としての信号伝達装置２０を示す断面図、及び平面図である。信号伝達装置２０は、下部電極を構成する第１シート導体部４と、該第１シート導体部４と間隔をおいて配置されたメッシュ状の第２シート導体部３と、これらシート導体部４・３との間隙２３に設けられて、誘電体層又は気体又は発泡して空気を多く含む誘電体からなる狭間領域６と、から構成された積層体である。
【００１６】
第２シート導体部３は、図１（Ｂ）に示すように、図１３に示される通信カプラ２のカプラ筐体１１となる外部導体１２、又は図１４に示される通信カプラ１５のカプラ筐体１７等が設置されるメッシュの穴が無い導体面２５と、従来と同様の一定のメッシュサイズを有して通信面となる格子状のメッシュ部２６と、これら導体面２５とメッシュ部２６との間に位置する長尺のメッシュサイズ可変領域２７と、からなる。（尚図１（Ａ）では、便宜上第１誘電体層５の上部に各領域２５、２６、２７を表記したが、これらの領域２５、２６、２７は、第２シート導体部３の領域を示している）
中間に位置するメッシュサイズ可変領域２７は、長さ方向に沿うメッシュ列２７Ａが複数列（図１（Ａ）では５列）隣接配置されている。メッシュサイズ可変領域２７は、図１中右側に位置する格子状のメッシュ部２６を構成しているメッシュ穴のサイズから、段階的にサイズを小さくして、図中左側に位置する穴無し導体面２５に接続する構造とされている。つまり、長さ方向に沿う各メッシュ列２７Ａに位置するメッシュ穴のサイズが、メッシュ部２６から導体面２５に向けて徐々に小さくなるように設定されている。
また、前記メッシュサイズ可変領域２７は、メッシュ穴間が同一線幅に設定されるとともに、メッシュ穴が小さくなる程、同一のメッシュ列２７Ａ内において該メッシュ穴が高密度に形成されている。
【００１７】
そして、通信媒体の上下２枚の導体シート（第１導体シートト４及び第２導体シート３）内を伝播する電磁波の電界と磁界の比を用いてシートのインピーダンスを表す場合、本実施例１で示すように、第２導体シート３のインピーダンスが大きく変化する部分（本例では、第２シート導体部３における導体面２５とメッシュ部２６との間）に、メッシュ穴のサイズを連続的に小さくしたメッシュサイズ可変領域２７を設けておけば、図２に示すように、実質的にインピーダンスを徐々に変化させるようにすることができ、従来の図１５、図１６で示すような、実質的にインピーダンスが極端に大きく変化する不連続な部分を低減することができる。
すなわち、シートインピーダンスの大きく変化する場所では、電磁波の反射が発生する。通信面では、面内を伝播する電磁波のシート４・３の上面方向へのエバネッセントな漏洩によって、通信カプラとの通信を実現している。エバネセントな成分のみでは、遠方界への放射は少ない。しかしながら、インピーダンスが急激に変化し、電磁波の一部がインピーダンスの不連続部分で反射すると、電磁波の進行方向が急激に変化し、エバネセントモードでない状態になるため遠方界への放射が発生する。このため、図１、図２のように連続的にシートインピーダンスが変化するようなメッシュサイズ可変領域２７を設けることにより、電磁波の反射を防ぎ、遠方界への電磁波放射を抑制することができる。
【００１８】
以上詳細に説明したように本実施例１に示す通信伝達装置によれば、第２導体シート３のインピーダンスが大きく変化する部分（本例では、第２シート導体部３における導体面２５とメッシュ部２６との間）に、シートインピーダンスが連続的に変化するメッシュサイズ可変領域２７を形成する、具体的には、具体的には、メッシュサイズ可変領域２７として、各列にて同一サイズのメッシュ穴を有してなるメッシュ列２７Ａを多数列設けるとともに、各メッシュ列２７Ａのメッシュ穴を、隣接するメッシュ列２７Ａに対して段階的にサイズ変更する構成とし、このようなメッシュサイズ可変領域２７を、例えば、通信カプラ２のカプラ筐体１１（図１３参照）又は通信カプラ１５のカプラ筐体１７（図１４参照）に隣接設置する、又は大電力を送電する場合の通信面端部に配置する等により、従来のようなインピーダンス不連続部からの放射を大幅に低減することができ、その結果、これら箇所からの電磁波漏洩を抑制し、安全に信頼性の高い通信又は電力送電を行うことが可能となる。
【００１９】
なお、上記実施例１に示す第２シート導体部３は以下のように変形しても良い。
〔変形例１〕
上記実施例１に示す第２シート導体部３では、通信カプラ２の外部導体１２の設置箇所に、メッシュ穴が無い導体面２５を位置させるようにしたが、これに限定されず、このような導体面２５を、図３に示すようにショート端、オープン端に位置させるようにしても良い。
すなわち、ショート端（例えば、導体で上下シート４・３が接続された部分）、オープン端（例えば、ＥＧＢ（エレクトリックバンドギャップ）構造等が形成された部分）を導体面２５とし、該導体面２５とメッシュ部２６との間に、連続的にシートインピーダンスを変化させることができるメッシュサイズ可変領域２７を位置させるようにしても良い。
また、上述したショート端、オープン端が配置される第２シート導体部３の導体面２５の形状は直線状に限定されず、図４に示すような、角部に位置させるために、折れ曲がった曲折形状であっても良い。
【００２０】
〔変形例２〕
上記実施例１に示す第２シート導体部３では、一定の大きさのメッシュ穴のサイズを有する格子状のメッシュ部２６に隣接するようにメッシュサイズ可変領域２７を設けたが、このようなメッシュサイズ可変領域２７は、図５に示すように、大サイズのメッシュ穴を有する格子状のメッシュ部３０と、小サイズのメッシュ穴を有する格子状のメッシュ部３１との間に、該メッシュ部３０・３１のメッシュを接続するように、各列毎に徐々にメッシュサイズを可変させることで形成しても良い。
そして、このような構成によって、メッシュサイズの違う、メッシュ部３０・３１という２つの通信媒体を接続する際にも、インピーダンスが極端に大きく変化する不連続な部分を低減することが可能な本技術を適用することが可能となる。
【００２１】
〔変形例３〕
上記図１〜図５では、第２シート導体部３のメッシュサイズ可変領域２７において、同一のメッシュ列２７Ａ内で、メッシュ穴が小さくなる程、同一線幅で高密度に形成するようにしたが、連続的にシートインピーダンスが変化するような構造としては、図６に示すような、前記メッシュサイズ可変領域２７を、穴間隔又は格子間隔を不変とし、かつ小さなメッシュ穴を有する列になる程、同一のメッシュ列２７Ａ内において、線幅が相対的に太くなるような構造とすることも可能である。
また、連続的にシートインピーダンスが変化するような構造として、図７のように第２シート導体部３の枠（符号２２Ａで示す）を三角形に形成することで、穴の開口面積が徐々に小さくなるような構造とするようにしても良い。このとき、前記枠２２Aは、複数のメッシュ列２７Ａの各列に配置されて、各列のメッシュ穴の大きさが漸次変化するように該メッシュ列２７Ａを部分的に閉鎖する。
【００２２】
［実施例２］
本発明の実施例２を図８及び図９を参照して説明する。
図８に符号４０で示すものは、信号伝達装置４１に対して信号を送受信するための通信カプラである。該通信カプラ４０は、例えば、図１３又は図１４に示す構成のものが使用され、符号４２で示されるカプラ筐体（図１３のカプラ筐体１１、図１４のカプラ筐体１７に相当）の外面部に、外方に突出するように、シートインピーダンスが連続的に変化するメッシュサイズ可変領域体４３が設けられる構成とされている。
【００２３】
このメッシュサイズ可変領域体４３は、図８に示すように、各列にて同一サイズのメッシュ穴を有してなるメッシュ列４３Ａが同心円状にかつ多数列設けられるとともに、各メッシュ列４３Ａのメッシュ穴が、隣接するメッシュ列４３Ａに対して段階的にサイズ変更されるように設けられている。
そして、このメッシュサイズ可変領域体４３は、図８に示すように、通信カプラ４０が信号伝達装置４１の上面に取り付けられた場合に、該信号伝達装置４１を構成している第２シート導体部４４の同一形状のメッシュ穴を部分的に閉鎖し、これによって通信カプラ４０と信号伝達装置４１との間に、シートインピーダンスが連続的に変化する領域を形成することが可能となる。
【００２４】
以上詳細に説明したように本実施例２に示す通信カプラ４０によれば、カプラ筐体４２の外部導体の外面部に外方に突出するように設けられて、シートインピーダンスが連続的に変化させるメッシュサイズ可変領域体４３を設けるようにした。具体的には、通信カプラ４０のカプラ筐体４２に、シートインピーダンスが連続的に変化させるメッシュサイズ可変領域体４３を設けたので、該通信カプラ４０が信号伝達装置４１の上面に取り付けられた状態で、該信号伝達装置４１を構成している第２シート導体部４４の同一形状のメッシュ穴を部分的に閉鎖し、これによって通信カプラ４０と信号伝達装置４１との間に、シートインピーダンスが連続的に変化する領域を形成することができ、これによって従来のように、インピーダンス不連続部からの放射を大幅に低減することができ、信号伝達装置４１上に設置した際の電磁波漏洩を抑制し、安全に信頼性の高い通信又は電力送電を行うことができる。
【００２５】
なお、前記メッシュサイズ可変領域体４３としては、図８（Ｂ）に示す構成に限定されず、実施例１の図６に示すように、同一のメッシュ列４３Ａ内において、穴間隔又は格子間隔を不変とし、かつ小さな穴を有する列になる程、線幅が相対的に太くなるように設定しても良い。
【００２６】
［実施例３］
本発明の実施例３に係わるインピーダンス調整シートについて図１０〜１２を参照して説明する。
図１０に示されるインピーダンス調整シート５０は、図１１Ａ及びＢに示すように、下部電極を構成する第１シート導体部５１（図１１Ａでは符号４に対応）及び該第１シート導体部５１と狭間領域５２（図１１Ａでは符号６に対応）を介して積層されたメッシュ状の第２シート導体部５３（図１１Ａでは符号３に対応）からなる信号伝達装置５４に取り付けられるものであって、接着剤と非金属からなる接着テープ５８上に導電性物質を積層することで全体が形成されている。
【００２７】
すなわち、このインピーダンス調整シート５０は、図１０に示すようにメッシュサイズ可変領域５５と、シート厚み部５６と、下面シート部５７とを一体に有する構成であって、前述の接着テープ５８を介して、信号伝達装置５４の端部を包むように貼付した場合に、図１１Ａ及びＢに示すように、メッシュサイズ可変領域５５は、該信号伝達装置５４の第２シート導体部５３を構成しているメッシュ列５３Ａ内の同一形状のメッシュ穴を部分的に塞ぎ、また、シート厚み部５６は、１シート導体部５１と第２シート導体部５３との狭間領域５２を塞ぐように配置され、また、下面シート部５７は、該信号伝達装置５４の第１シート導体部５１の下面に配置される。なお、シート厚み部５６と下面シート部５７との境界を図１０では二点鎖線で示している。
【００２８】
また、前記インピーダンス調整シート５０のメッシュサイズ可変領域５５は、各列にて同一サイズのメッシュ穴を有してなるメッシュ列５５Ａが多数列設けられるとともに、各メッシュ列５５Ａのメッシュ穴が、隣接するメッシュ列５５Ａに対して段階的にサイズ変更されるように設けられている。
そして、インピーダンス調整シート５０は、図１１Ａ及びＢに示すように、信号伝達装置５４に取り付ける際に、メッシュサイズ可変領域５５のメッシュ列５５Ａを、第２シート導体部５３のメッシュ列５３Ａに列を一致させて重ねることで、第２シート導体部５３のメッシュ列５３Ａ内にある同一形状のメッシュ穴を部分的に閉鎖し、その結果、信号伝達装置５４にシートインピーダンスが連続的に変化する領域を形成することが可能となる。
【００２９】
以上詳細に説明したように本実施例３に示すインピーダンス調整シート５０によれば、信号伝達装置５４の第２シート導体部５３の端部上面に、メッシュ穴を部分的に塞ぐように貼り付けられて、シートインピーダンスを連続的に変化させるメッシュサイズ可変領域５５を設けるようにした。これによって、インピーダンス調整シート５０を図１１Ａ及びＢに示すように、信号伝達装置５４に取り付けた場合に、該インピーダンス調整シート５０のメッシュサイズ可変領域５５が、第２シート導体部５３のメッシュ列５３Ａ内にある同一形状のメッシュ穴を部分的に閉鎖し、これによって該信号伝達装置５４に、シートインピーダンスを連続的に変化する領域を形成することができ、その結果、このようなメッシュサイズ可変領域５５に、例えば、通信カプラ２のカプラ筐体１１（図１３参照）又は通信カプラ１５のカプラ筐体１７（図１４参照）を隣接設置する、又は大電力を送電する場合の通信面端部を配置する等により、従来のようなインピーダンス不連続部からの放射を大幅に低減することができ、その結果、これら箇所からの電磁波漏洩を抑制し、安全に信頼性の高い通信又は電力送電を行うことが可能となる。
【００３０】
なお、上記実施例３のメッシュサイズ可変領域５５は、上述した図１０、図１１Ａ／Ｂの構成に限定されず、図１２に示すように、第２シート導体部５３のメッシュ穴を部分的に塞ぐように貼り付けられて、かつ三角形状に形成された複数の導体シート６０から構成しても良い。これら複数の導体シート６０は、第２シート導体部５３に貼り付けた場合に、該第２シート導体部５３を構成する複数のメッシュ列５５Ａの各列に配置されて、各列のメッシュ穴の大きさが漸次変化するように該メッシュ列５３Ａを部分的に閉鎖し、これによって先の図１０、図１１Ａ／Ｂのメッシュサイズ可変領域と同様の効果を奏する。
【００３１】
また、インピーダンス調整シート５０のメッシュサイズ可変領域５５としては、図１０に示す構成に限定されず、実施例１の図６に示すように、同一のメッシュ列５５Ａ内において、穴間隔又は格子間隔を不変とし、かつ小さな穴を有する列になる程、線幅が相対的に太くなるように設定しても良い。
【００３２】
また、上記インピーダンス調整シート５０は、信号伝達装置５４において、シート導体部５１と第２シート導体部５３との狭間領域５２を塞ぐシート厚み部５６、第１シート導体部５１の下面に配置される下面シート部５７を設けたが、これらシート厚み部５６及び下面シート部５７は必須構成ではなく、メッシュサイズ可変領域５５のみで、上述した図１０〜図１２に示すように、第２シート導体部５３のメッシュ穴を部分的に塞ぐようにしても良い。
【００３３】
なお、第１、第２のシート導体の端部を互いに接続していわゆるショート端とすることも有効である。
すなわち、図１７は、ショート端を有する信号伝達装置２０を示す断面図であって、下部電極を構成する第１シート導体部４と、該第１シート導体部４と間隔をおいて配置されたメッシュ状の第２シート導体部３との間には、これらを互いに接続するショート端導体６１が設けられている。
図１８は、本発明を適用し、7mmメッシュにシートインピーダンス可変領域を設けて、ショート端とした場合の電磁波漏洩抑制効果を示す。比較のために、単に7mmメッシュでオープン端とした場合のシートの条件（即ち本発明による改善前）と、7mmメッシュの端部に35mmのメッシュサイズ可変領域、5mmのメタル領域を設け、且つ端部をショート端にした場合の条件（即ち本発明により改善後）とについて示した。このように、表裏のシート導体を端部でショートさせた場合、ショートさせない場合に比べ、GHz帯域で10dB〜15dBの放射抑制効果が得られた。
【００３４】
以上、本発明の実施形態について図面を参照して詳述したが、具体的な構成はこの実施形態に限られるものではなく、本発明の要旨を逸脱しない範囲の設計変更等も含まれる。
【産業上の利用可能性】
【００３５】
本発明は、シート状の信号伝達装置と、その上に設置して信号伝達装置に信号を伝達する通信カプラとからなる通信システムにおいて、特に通信時の電磁漏洩を抑制する漏洩電磁界抑制構造に関する。
【符号の説明】
【００３６】
２０  信号伝達手段
３  第２シート導電体
２７  メッシュサイズ可変領域
２７Ａ  メッシュ列
４０  通信カプラ
４１  信号伝達手段
４２  カプラ筐体
４３  メッシュサイズ可変領域体
４３Ａ  メッシュ列
４４  第２シート導体部
５０  インピーダンス調整シート
５３  第２シート導体部
５４  信号伝達手段
５５  メッシュサイズ可変領域
５５Ａ  メッシュ列
５６  シート厚み部
５７  下面シート部
６０  導体シート
６１  ショート端導体
【図１】
2011027770.tif 000003
【図２】
2011027770.tif 000004
【図３】
2011027770.tif 000005
【図４】
2011027770.tif 000006
【図５】
2011027770.tif 000007
【図６】
2011027770.tif 000008
【図７】
2011027770.tif 000009
【図８】
2011027770.tif 000010
【図９】
2011027770.tif 000011
【図１０】
2011027770.tif 000012
【図１１Ａ】
2011027770.tif 000013
【図１１Ｂ】
2011027770.tif 000014
【図１２】
2011027770.tif 000015
【図１３】
2011027770.tif 000016
【図１４】
2011027770.tif 000017
【図１５】
2011027770.tif 000018
【図１６】
2011027770.tif 000019
【図１７】
2011027770.tif 000020
【図１８】
2011027770.tif 000021
【国際調査報告】
2011027770.tif 000022
2011027770.tif 000023
2011027770.tif 000024
2011027770.tif 000025